(57)【要約】【課題】前部が下がりずらいメガネを提供する。【解決手段】レンズを嵌めたフレーム又はレンズをブリッジで結び、内側に鼻パットを設け、外側にＬ形金具及び蝶番を介してつるを設けたメガネにおいて、弾力のあるつるの内側に弾力のある湾曲した補助つるを重ね、切削管で束ねたメガネ。【選択図】図１
2007034289.tif 000002
【特許請求の範囲】
【請求項１】
レンズを嵌めたフレーム又はレンズをブリッジで結び、内側に鼻パットを設け、外側にＬ形金具及び蝶番を介してつるを設けたメガネ及びサングラスにおいて、弾力のあるつるの内側に、弾力のある湾曲した補助つるを重ね、切削管で束ねた事を特徴とするメガネ及びサングラス。
【請求項２】
後頭部に係止するつる及び補助つるの末端に滑り止めを兼ねた差し替え重りを設けた請求項１のメガネ及びサングラス。
【請求項３】
つると補助つるを束ねる切削管等の下面につる止めを設けた請求項１のメガネ及びサングラス。
【発明の詳細な説明】
【技術分野】
【０００１】  本発明は前部が下がりずらいメガネに関するものである。
【背景技術】
【０００２】  従来、メガネのつるの後部に滑り止めとしてゴム等を取り付けていた。
【発明の開示】
【発明が解決しょうとする課題】
【０００３】  そのために、次にような問題点があった。
（イ）ほとんどのメガネが重いガラスレンズから軽いプラスチックのレンズに変わったの      に前部が下がってしまう。
（ロ）東洋人は西洋人のように高い鼻梁を持たないので、鼻パットを鼻梁に当てようとす      るだけで前部が下がってしまうことが多い。
（ハ）そのためには、あまり鼻パットに頼らないことである。
【課題を解決するための手段】
【０００４】  レンズを嵌めたフレーム又はレンズをブリッジで結び、内側に鼻パットを設け、外側にＬ形金具及び蝶番を介してつるを設けたメガネ及びサングラスにおいて、弾力のあるつるの内側に弾力のある湾曲した補助つるを重ねて切削管で束ねる。
【発明の効果】
【０００５】  補助つるの前部と後部が側頭部と後頭部を捉え、更に側頭部の係止点が前部の支点であった鼻パットの新たな移動場所となってメガネを水平に保つことが出来る。
【発明を実施するための最良の形態】
【０００６】  以下、本発明の第１の実施の形態に付いて、図１から図３を用いて説明するが、図面はもっぱら解説のためのもので、本発明の技術的範囲を限定するものではない。叉サングラスの図面及び解説はメガネと同一のために省略する。
（イ）フレーム２・２にレンズ３・３を嵌め、ブリッジ４・４で結び、レンズ３・３の内      側に鼻パット５・５を設け、外側にＬ形金具６・６を設けて、末端にメス蝶番７ａ      ・７ａを設ける。
（ロ）水平な弾力のある金属を従来のつるより短くし、先端内側にオス蝶番７ｂ・７ｂを      設け、つる９・９とする。
（ハ）水平な弾力ある金属をつる９・９より短くし、両端を滑りずらい樹脂等で被覆成形      して、滑り止め１２・１２・１２・１２を設けて湾曲させ、補助つる１０・１０と      する。
（ニ）つる９・９の内側後部に補助つる１０・１０の中程を重ね、切削管１１・１１を嵌      めて束ね、合わせ目を完全に閉じずに仮止めにしておく。そしてＬ形金具６・６の      メス蝶番７ａ・７ａにつる９・９のオス蝶番７ｂ・７ｂを合わせてネジ８・８で止      める。
本発明のメガネ１及びサングラス１は以上のような構成である。
これを使用する時は、まず、試着して鼻パット５・５が鼻梁に触れるか触れないか位になるように掛ける。そのためには、仮止めした補助つる１０・１０を前後に動かして、出来るだけ補助つる１０・１０の前部の滑り止め１２・１２をレンズ３・３に近づけ、落ち着きの良い所で仮止めの切削管１１・１１を閉じて固定する。前部の滑り止め１２・１２は側頭部１３・１３に係止し、後部の滑り止め１２・１２は後頭部１４・１４に係止する。この事は両手の親指と人差し指を側頭部１３・１３に当てて軽く押し、手にも弱い力を加えて挟むようにする事に似ていて、指と手の両方の力を借りている。そして前部の滑り止め１２・１２は目尻１５・１５と耳の股１６・１６の中程に位置することで、従来のメガネ等の前部の支点であった鼻パット５・５から側頭部１３・１３に移り、鼻パット５・５への荷重が大幅に緩和されて皆無に近くなる。又、後部の滑り止め１２・１２も後頭部１４・１４に達し、切削管１１・１１と合わせて３点で頭を捉える事で、鼻パット５・５にあまり頼らなくても、メガネ１及びサングラス１を水平に保つ事が出来る。
尚、図２の（ａ）に示すように、切削管１１・１１を樹脂等で被覆した被覆切削管１１ａ・１１ａを用いても良いし、（ｂ）に示すようにつる９・９の後部に半分づつの補助つる１０ａ・１０ａと１０ｂ・１０ｂを重ねて、切削管１１・１１で束ねて湾曲面を形成しても良い。又（ｃ）に示すように長めのつる９ａ・９ａの後部に後部とは逆向きの半分の補助つる１０ａ・１０ａを重ねて、切削管１１・１１で束ねても良いし、つる９・９、切削管１１・１１そして補助つる１０・１０を樹脂等で被覆しても良い。
関連の先願として、特表平１０−５１３２７９がある。
【実施例】
【０００７】  次に、図４から図２７に示す本発明の異なる実施の形態につき説明する。尚、これらの説明に当たって、前記本発明の第１の実施の形態と同じ構成部分には、同一符号を付して重複する説明を省略する。又図面は解説のためのもので技術的範囲を限定するものではない。叉サングラスの図面及び解説はメガネと同一のために省略する。
【実施例１】
【０００８】  図４と図５に示す本発明の第２の実施の形態において、前記本発明の第１の実施の形態と主に異なる点は、補助つる１０・１０の末端に滑りづらい樹脂等で被覆した差し替え重り１８・１８を前部の荷重と対等になるように設けた点で、このように形成されたつる９Ａ・９Ａを用いて構成したメガネ１Ａ及びサングラス１Ａにしても、前記本発明の第１の実施の形態と同じ作用効果が得られる。この事は試着の段階で鼻パット５・５を鼻梁に触れるか触れないか位に設置して、耳の股１７・１７を支点にして色々な重さの差し替え重り１８・１８を付け替え、最良のバランスを選ぶ事が出来る。（重りは個々の状況によって選ばれる）
尚、差し替え重り１８・１８にカバー１９・１９を被せても良いし、つる９・９、切削管１１・１１そして補助つる１０・１０を樹脂等で被覆しても良い。
【実施例２】
【０００９】  図６と図７に示す本発明の第３の実施の形態において、前記本発明の第１の実施の形態と主に異なる点は、つる９・９と補助つる１０・１０を束ねる切削管１１・１１の下面に耳の股１７・１７にかける、山形のつる止め２０・２０を設けた点で、このように形成されたつる９Ｂ・９Ｂを用いて構成したメガネ１Ｂ及びサングラス１Ｂにしても、前記本発明の第１の実施の形態と同じ作用効果が得られる。
尚、補助つる１０・１０の後部の滑り止め１２・１２を差し替え重り１８・１８にしても良いし、つる９・９、切削管１１・１１そして補助つる１０・１０を樹脂等で被覆しても良い。又山形のつる止め２０・２０の代わりに図６の（ｄ）に示す棒状のつる止め２１・２１を設けても良い。又鼻パット５・５を鼻梁に触れるか触れないか位にして前部と後部の重さのバランスが良いメガネを掛けていると鼻パット５・５が不要になる。好みによっては取り外しても機能的には何ら問題はない。鼻パット５・５の働きは主にレンズ３・３部分の重さを鼻梁で支える事と、メガネを掛ける時、つる９・９をどこまで差し込むかの目安や左右への偏りの防止等を担っているが、それらは山形のつる止め２０・２０や棒状のつる止め２１・２１が代行する事が出来るからである。
【実施例３】
【００１０】  図８と図９に示す本発明の第４の実施の形態において、前記本発明の第１の実施の形態と主に異なる点は、補助つる１０・１０の末端に蝶番７・７を介して延長補助つる１０ｃ・１０ｃを設けた点で、このように形成されたつる９Ｃ・９Ｃを用いて構成したメガネ１Ｃ及びサングラス１Ｃにしても、前記本発明の第１の実施の形態と同じ作用効果が得られる。
尚、後部の滑り止め１２・１２の代わりに差し替え重り１８・１８を用いても良いし、つる９・９、切削管１１・１１そして補助つる１０・１０を樹脂等で被覆しても良い。
【実施例４】
【００１１】  図１０と図１１に示す本発明の第５の実施の形態において、前記本発明の第１の実施の形態と主に異なる点は、つる９・９と補助つる１０・１０を束ねた切削管１１・１１の代わりに両方を重ねて熔接した点で、このように形成されたつる９Ｄ・９Ｄを用いて構成したメガネ１Ｄ及びサングラス１Ｄにしても、前記本発明の第１の実施の形態と同じ作用効果が得られる。
尚、後部の滑り止め１２・１２の代わりに差し替え重り１８・１８を設けても良い。
又図１１に示すようにつる９・９の一部と補助つる１０・１０全体を樹脂等で被覆した補助つる２３・２３にしても良い。
【実施例５】
【００１２】  図１２と図１３に示す本発明の第６の実施の形態において、前記本発明の第１の実施の形態と主に異なる点は、つる９・９の後部の上下面に内側に折れ曲がる折り代２４・２２４・２４を設けて、補助つる１１・１１を束ねた点で、このように形成されたつる９Ｅ・９Ｅを用いて構成したメガネ１Ｅ及びサングラス１Ｅにしても、前記本発明の第１の実施の形態と同じ作用効果が得られる。
尚、後部滑り止め１２・１２の代わりに差し替え重り１８・１８を用いても良いし、つる９・９、切削管１１・１１そして補助つる１０・１０を樹脂等で被覆しても良い。又下面の折り代２４・２４に山形のつる止め２０・２０あるいは棒状のつる止め２１・２１を取り付けても良い。
【実施例６】
【００１３】  図１４と図１５に示す本発明の第７の実施の形態において、前記本発明の第１の実施の形態と主に異なる点は、長めのつる９・９の外側に少し短めのつる９・９を末端を揃えてぴったり重ね、末端の２本を合わせてキャップ２５・２５を被せてまとめる。そして内側のつる９・９の先端を樹脂等で被覆し、外側のつる９・９より湾曲させて離し、補助つる１０・１０とした点で、このように形成されたつる９Ｆ・９Ｆを用いて構成したメガネ１Ｆ及びサングラス１Ｆにしても、前記本発明の第１の実施の形態と同じ作用効果が得られる。
尚、つる９・９の中程で補助つる１０・１０と密着している間に柔軟製のある図１４（ｅ）に示す、差し込み棒状つる止め２６・２６あるいは図１４（ｆ）に示す、差し込み山形つる止め２７・２７を取り付けても良い。叉つる９・９、補助つる１０・１０そしてキャップを樹脂等で被覆しても良いし、キャップ２５・２５に比重の高い金属を用いても良い。
【実施例７】
【００１４】  図１６と図１７に示す本発明の第８の実施の形態において、前記本発明の第１の実施の形態と主に異なる点は、長めのつる９・９を通常の長さで、折り返し点に丸みの隙間２８・２８を設けて折り返し、折り返したつる９・９を補助つる１０・１０とした点で、このように形成されたつる９Ｇ・９Ｇを用いて構成したメガネ１Ｇ及びサングラス１Ｇにしても、前記本発明の第１の実施の形態と同じ作用効果が得られる。
尚、つる９・９や補助つる１０・１０を樹脂等で被覆しても良いし、図１６（ｇ）に示すように隙間２８・２８に差し込み重り１８ａ・１８ａを取り付けても良い。叉つる９・９と補助つる１０・１０の間に差し込み棒状つる止め２６・２６や差し込み山形つる止め２７・２７を取り付けても良い。
【実施例８】
【００１５】  図１８と図１９に示す本発明の第９の実施の形態において、前記本発明の第１の実施形態と主に異なる点は、弾力のある直線状の針金で細い長形のリングを作り、直線状の補助つる３０・３０として切削管１１・１１に差し込み、前後に移動出来るようにした点で、このように形成されたつる９Ｈ・９Ｈを用いて構成されたメガネ１Ｈ及びサングラス１Ｈにしても、前記本発明の第１の実施の形態と同じ作用効果が得られる。この場合切削管１１・１１は予めつる９・９と直線状の補助つる３０・３０が入れるような間隔を設けて、外側につる９・９を固定させ、残った内側の間隔に直線状の補助つる３０・３０が出入りする。
尚、図１８（ｈ）に示すように差し替え重り１８ｂ・１８ｂを試着迄は移動出来る状態で直線状の補助つる３０・３０の後部の針金２９・２９・２９・２９の間に取り付けて置き、試着中に移動させて最良の位置を見つけて固定する。叉比重が高いキャップ２５・２５を被せても良いし、つる９・９、切削管１１・１１そして補助つる１０・１０を樹脂等で被覆しても良い。
【実施例９】
【００１６】  図２０と図２１に示す本発明の第１０の実施の形態において、前記本発明の第１の実施の形態と主に異なる点は、弾力のある直線状の針金で細い長形のリングを作り、一方の長手の針金２９・２９を波形に折り曲げ、片側波線状の補助つる３１・３１を設ける。そして波線の凸部３２・３２に合わせて、複数の凸部３２・３２が入るように切削管１１・１１の上部に複数の窓３３・３３をあけて、窓付き切削管３４・３４を設けた点で、このように形成されたつる９Ｊを用いて構成されたメガネ１Ｊ及びサングラス１Ｊにしても、前記本発明の第１の実施の形態と同じ作用効果が得られる。
尚、図２０（ｉ）に示すように両側波線状の補助つる３５・３５を用いても良いがその時は窓付き切削管３４・３４の下面にも複数の窓３３・３３を設けなければならない。叉片側波線状の補助つる３１・３１に差し替え重り１８ｂ・１８ｂを取り付けたり、キャップ２５・２５を被せても良いし、つる９・９、切削管１１・１１そして補助つる１０・１０を樹脂等で被覆しても良い。
【実施例１０】
【００１７】  図２２と図２３に示す本発明の第１１の実施の形態において、前記本発明の第１の実施の形態と主に異なる点は、つる９・９の後部の上下の折り代２４・２４を丸めて丸形切削管３６・３６を設ける。丸棒３７・３７の先端の内側に突起３８・３８を設け、後部の内側にもストッパー３９・３９を設ける。そして先端に側頭部１３・１３に係止する、内側に湾曲した側頭部係止体４０・４０を設け、末端に後頭部１４・１４に係止する、内側に湾曲した後頭部係止体４１・４１を設ける。丸形切削管３６・３６の後部合わせ面にストッパー３９・３９が入るストッパー止め４２・４２を設け、更に後部に丸棒３７・３７が９０〜１８０°回転出来るように切り込み部４３・４３を設けて回転補助つる４４・４４として丸形切削管３６・３６にはめ込むんだ点で、このように形成されたつる９Ｋ・９Ｋを用いて構成したメガネ１Ｋ及びサングラス１Ｋにしても、前記本発明の第１の実施の形態と同じ作用効果が得られる。
これは回転補助つる４４・４４の両端が内側に湾曲しているために、従来のつる９・９の折り畳み方では両補助４０・４０・４１・４１がレンズ３・３面に対面して嵩高になってしまうのを避けるために左右互い違いに上面と下面に９０°回転させて、折り畳むものである。
尚、側頭部係止体４０・４０の先端を樹脂で被覆し、後頭部係止体４１・４１の後部滑り止め１２・１２を設けるが滑り止め１２・１２の替わりに差し替え重り１８・１８設けても良い。そして側頭部係止体４０・４０、丸形切削管３６・３６そして後頭部係止体４１・４１等を樹脂で被覆しても良い。
【実施例１１】
【００１８】図２４と図２５に示す本発明の第１１の実施の形態において、前記本発明の第１実施の形態と主に異なる点は、つる９・９の後半に金属製の管４５・４５叉は樹脂等の管４５・４５を通し、後部とは逆向きの半分の補助つる１０ａ・１０ａを切削管１１・１１の替わりに設けて差し込み、取り付けた点で、このように形成されたつる９Ｌ・９Ｌを用いて構成されたメガネ１Ｌ及びサングラス１Ｌにしても、前記本発明の第１の実施の形態と同じ作用効果が得られる。
尚、図２４の（ｊ）の補助つる１０ａ・１０ａ及び１０ｂ・１０ｂに替わって補助つる１０・１０を用いて、滑り止め１２・１２の替わりに差し替え重り１８・１８を用いても良い、叉つる９・９、管４５・４５そして補助つる１０・１０を樹脂等で被覆しても良い。
【実施例１２】
【００１９】図２６と図２７に示す本発明の第１２の実施の形態において、前記本発明の第１の実施の形態と主に異なる点は、つる９・９の後半に後部とは逆向きの半分の補助つる１０ａ・１０ａを重ね、紐４６・４６等を巻き付けて取り付けた点で、このように形成されたつる９Ｍ・９Ｍを用いて構成されたメガネ１Ｍ及びサングラス１Ｍにしても、前記本発明の第１の実施の形態と同じ作用効果が得られる。
尚、紐４６・４６の他にテープを用いても良い。叉両端に滑り止め１２・１２・１２・１２を設けた補助つる１０・１０に使用しても良いし、つる９・９、切削管１１・１１及び補助つる１０・１０を樹脂等で被覆しても良いし、滑り止め１２・１２の替わりに差し込み重り１８・１８を用いても良い。
【図面の簡単な説明】
【００２０】
【図１】本発明の第１の実施の形態の使用している側面図。
【図２】本発明の第１の実施の形態のつるの斜視図。（ａ）は樹脂で被覆した切削管の斜視図、（ｂ）は２本の補助つるでつるに湾曲面を成形する斜視図、（ｃ）は長めのつると短い補助つるで湾曲面を成形する斜視図。
【図３】本発明の第１の実施の形態の斜視図。
【図４】本発明の第２の実施の形態のつると重りの分解斜視図。
【図５】本発明の第２の実施の形態の斜視図。
【図６】本発明の第３の実施の形態のつる、補助つると切削管の分解斜視図。（ｄ）は他の切削管の斜視図
【図７】本発明の第３の実施の形態の斜視図。
【図８】本発明の第４の実施の形態のつるの斜視図。
【図９】本発明の第４の実施の形態の斜視図。
【図１０】本発明の第５の実施の形態のつるの斜視図。
【図１１】本発明の第５の実施の形態の斜視図。
【図１２】本発明の第６の実施の形態のつるの斜視図。
【図１３】本発明の第６の実施の形態の斜視図。
【図１４】本発明の第７の実施の形態のつると補助つるの分解斜視図、（ｅ）と（ｆ）はつる止めの斜視図。
【図１５】本発明の第７の実施の形態の斜視図。
【図１６】本発明の第８の実施の形態のつると補助つるの斜視図、（ｇ）はつると重りの斜視図。
【図１７】本発明の第８の実施の形態の斜視図。
【図１８】本発明の第９の実施の形態のつると補助つるの斜視図、（ｈ）は重りの斜視図。
【図１９】本発明の第９の実施の形態の斜視図。
【図２０】本発明の第１０実施の形態のつると補助つるの斜視図、（ｉ）は他の補助つるの斜視図。
【図２１】本発明の第１０の実施の形態の斜視図。
【図２２】本発明の第１１の実施の形態のつると補助つるの分解斜視図。
【図２３】本発明の第１１の実施の形態の斜視図。
【図２４】本発明の第１２の実施のつると補助つるの分解斜視図、（ｊ）は他の補助つるの斜視図。
【図２５】本発明の第１２の実施の形態の斜視図。
【図２６】本発明の第１３の実施の形態のつるの分解斜視図。
【図２７】本発明の第１３の実施の形態の斜視図。
【符号の説明】
【００２１】  １、１Ａ，１Ｂ、１Ｃ，１Ｄ、１Ｅ、１Ｆ、                        ２：フレーム
１Ｇ、１Ｈ、１Ｊ、１Ｋ、１Ｌ，１Ｍ：メガネ及びサングラス        ４：ブリッジ
３：レンズ                                                      ６：Ｌ形金具
５：鼻パット                                                        ８：ネジ
７：蝶番、７ａ：メス蝶番、７ｂ：オス蝶番      １０，１０ａ、１０ｂ：補助つる
９、９Ａ、９Ｂ、９Ｃ、９Ｄ、９Ｅ、９Ｆ、                １１，１１ａ：切削管
９Ｇ、９Ｈ，９Ｊ，９Ｋ、９Ｌ，９Ｍ：つる                          １３：側頭部
１２：滑り止め                                                    １４：後頭部
１５：目尻                                                            １６：耳
１７：耳の股                                １８，１８ａ、１８ｂ：差し替え重り
１９：カバー                                              ２０：山形のつる止め
２１：棒状のつる止め                                                ２２：熔接
２３：被覆した補助つる                                            ２４：折り代
２５：キャップ                                      ２６：差し込み棒状つる止め
２７：差し込み山形つる止め                                          ２８：隙間
２９：針金                                              ３０：直線状の補助つる
３１：片側波状の補助つる                                            ３２：凸部
３３：窓                                                    ３４：窓付き切削管
３５：両側波状の補助つる                                      ３６：丸形切削管
３７：丸棒                                                          ３８：突起
３９：ストッパー                                            ４０：側頭部係止体
４１：後頭部係止体                                        ４２：ストッパー止め
４３：切り込み部                                            ４４：回転補助つる
４５：管                                                              ４６：紐
【図１】
2007034289.tif 000003
【図２】
2007034289.tif 000004
【図３】
2007034289.tif 000005
【図４】
2007034289.tif 000006
【図５】
2007034289.tif 000007
【図６】
2007034289.tif 000008
【図７】
2007034289.tif 000009
【図８】
2007034289.tif 000010
【図９】
2007034289.tif 000011
【図１０】
2007034289.tif 000012
【図１１】
2007034289.tif 000013
【図１２】
2007034289.tif 000014
【図１３】
2007034289.tif 000015
【図１４】
2007034289.tif 000016
【図１５】
2007034289.tif 000017
【図１６】
2007034289.tif 000018
【図１７】
2007034289.tif 000019
【図１８】
2007034289.tif 000020
【図１９】
2007034289.tif 000021
【図２０】
2007034289.tif 000022
【図２１】
2007034289.tif 000023
【図２２】
2007034289.tif 000024
【図２３】
2007034289.tif 000025
【図２４】
2007034289.tif 000026
【図２５】
2007034289.tif 000027
【図２６】
2007034289.tif 000028
【図２７】
2007034289.tif 000029